(57)【要約】【解決手段】衣類の打合わせ部に取り付けられている係止具に取り付けるものであって、帯状のシリコンゴムからなる弾性片の端部にホックを係入させ得る係止孔を有し、前記弾性片のもう一方の端部には、前記受片に掛合させる金属片を屈曲させた留金片を有する調整用鉤部材。【効果】弾性片の弾性による適度の伸縮により、ズボンやスカートのウエスト部分を極めて簡単な構造の部材により、調整することができる。また、シリコンゴムが他の合成ゴムなどの弾性体に比べ、高い反発弾性や耐候性を有しており、また、薄くても引っ張り強度を備えているために、鉤部材としての機能を十分に発揮することができる。【選択図】　　図１
2004033526.tif 000002
【特許請求の範囲】
【請求項１】
衣類の打合わせ部に取り付けられているホックと受片とからなる係止具に取り付け得るものであって、
帯状の弾性片の一方の端部に前記ホックを係入させ得る係止孔を有し、
前記弾性片のもう一方の端部には、前記受片に掛合させ得る留金片を有する調整用鉤部材。
【請求項２】
留金片は方形状の金属片を屈曲させて形成され、
留金片の腹部を弾性片の内部に埋入し、弾性片に形成されている係止孔側とその反対側の端縁部より、留金片の屈曲部とフック部とが突出するように成型されていることを特徴とする請求項１記載の調整用鉤部材。
【請求項３】
帯状の弾性片がシリコンゴムからなることを特徴とする請求項１または２のいずれかに記載の調整用鉤部材。
【発明の詳細な説明】
【０００１】
【発明の属する技術分野】
本発明は、ズボンやスカートなどの衣類において、主として腰周りの打合わせ部に取り付けられている係止具に取り付け得るものであって、特に伸縮性を有し、ウエストのサイズを調整するために用いる鉤部材に関するものである。
【０００２】
【従来の技術】
従来、ズボンやスカートのウエストサイズ調整のための部材としては、例えば、特開２００１−８７０１０号公報や特開２００２−１７４０９号公報に見られるような技術があった。
これらの調整用鉤にかかる技術は、ウエストのサイズを調整できるものであるが、摺動レールを備え、さらに、スプリングやガイドなどの多くの部材から形成されるものであった。
【０００３】
【発明が解決しようとする課題】
しかし、これらの調整用鉤部材はできるだけ簡単な構造となっていることが好ましい。特にズボンやスカートのウエストサイズを調整するために用いる鉤部材は、絶えず打合わせ部に取り付けられるものであり、できるだけ簡単な構造で生産コストも安くできるものであることが好ましい。
一方、取り付け時に衣類の打合わせ部が大きく膨らむものであっては、体裁が悪いので、好ましくない。
【０００４】
【課題を解決するための手段】
そこで本発明にかかる調整用鉤部材は、衣類の打合わせ部に取り付けられているホックと受片とからなる係止具に取り付け得るものであって、帯状の弾性片の一方の端部に前記ホックを係入させ得る係止孔を有し、前記弾性片のもう一方の端部には、前記受片に掛合させ得る留め金片を有する調整用鉤部材である。
【０００５】
これにより、ズボンやスカートの打合せ部に取り付けられている係止具のホックを帯状の弾性片の一方の端部の係止孔に係入し、前記弾性片のもう一方の端部に取り付けられている留金片を、ズボンやスカートの打合せ部に取り付けられている相手側の受片に掛合させることによって、ズボンやスカートの打合わせ部にある係止具に取り付けることができる。また、本発明にかかる調整用鉤部材は扁平で極めて薄いものであるから、衣類の打合わせ部に取り付けても、その部分がむやみに膨らむことはない。ここに帯状の弾性体の弾性により伸縮自在であるから、ズボンやスカートのウエストサイズを極めて簡単な構造の部材により、容易に調整することができる。
【０００６】
また、留金片は方形状の金属片を屈曲させて形成され、留金片の腹部を弾性片の内部に埋入し、弾性片に形成されている係止孔側とその反対側の端縁部より、留金片の屈曲部とフック部とが突出するように成型されていることことが好ましい。
ここに、留金片は方形状の金属片を表裏方向にほぼ１８０度屈曲して形成され、この屈曲部分より先側にズボンやスカートの打合わせ部に取り付けられている相手側の受片に掛合させ得るフック部を有している。そして前記屈曲部からフック部と反対側の端部までを腹部としており、この腹部を弾性片の内部に埋入してある。
【０００７】
このように、金属片を加工して屈曲した形状とし、留金片の腹部を帯状の弾性片の内部に埋入して成型することによって、留金片が弾性片から抜けにくくなる。衣類に取り付けている係止具のホックを、弾性片の一方の端部の係止孔に係入する一方、前記弾性片のもう一方の端部に取り付けられている留金片のフック部を、衣類に取り付けられている相手側の受片に掛合させることにより、本調整用鉤部材は、孔側とフック部側から相反する方向にひっぱられることになるが、留金片の腹部までを弾性片の内部に埋入してあるため、このような引っ張り応力にも十分耐え得る。
【０００８】
また、帯状の弾性片はシリコンゴムからなることが好ましい。
【０００９】
シリコンゴムは他の合成ゴムなどの弾性体に比べ、高い反発弾性や耐候性を有しており、また、薄くしても引っ張り強度を備えているため、シリコンゴムを弾性片の素材として使用することにより、調整用鉤部材としての機能を十二分に発揮することができる。
【００１０】
【発明の実施の形態】
本発明の実施の一例について、図面に即して説明する。
図１は本発明の調整用鉤部材１の一例を示す斜視図である。図２は図１のＡ−Ａ線断面図である。図３はズボンの打合わせ部に取り付けられている係止具に、本調整用鉤部材１を取り付ける途中の状態を示す斜視図である。図４は取り付け後の状態を示す斜視図である。図５はフック部が受片に掛合している状態を示す斜視図である。図６は第２の形態にかかる調整用鉤部材１の背面斜視図であり、図７は第２の形態にかかる調整用鉤部材１の斜視図である。図８は第３の形態にかかる調整用鉤部材１の斜視図である。
なお、以下の記載例はあくまでも一例であり、これらに限定されないことはいうまでもない。
【００１１】
ホック３Ａと受片３Ｂとはズボンやスカートなどの衣類の打合わせ部に取り付けられ、ウエストを固定するためのものである。ズボンやスカートを着用するときには、腰周りをウエストサイズよりも広く開放する方が着用し易いから、その状態で着用し、着用後、ホック３Ａを受片３Ｂに掛合させることにより、腰に固定できる。
ここに例示する鉤部材はズボンやスカートなどの衣類に取り付けられているこの係止具に取り付けることにより、ウエストサイズを調整できるようにしたものである。
【００１２】
ズボンを例に挙げて説明すると、ズボン２の打合せ部に取り付けられているホック３Ａを受片３Ｂに掛合させた場合のウエストの長さでは、ズボン２がはけなくなってしまうことがある。つまり、着用時が肥満体になったり、食事後でウエストサイズが大きくなる場合があり、かかる場合にズボン２の打合せ部における係止具の掛合位置を調整することができれば、極めて都合が良い。
【００１３】
この場合に用いると便利なものが図１、図２に一例として示してある。
ここに例示されている鉤部材１は帯状の弾性片４と留金片５とからなっている。留金片５は厚さ１ミリメートル、幅１０ミリメートル、長さ２０ミリメートルの金属片を表裏方向にほぼ１８０度、屈曲したものである。長さ２０ミリメートルの金属片の５分の２付近から表裏方向に屈曲してある。つまり先端のフック部６から８ミリメートル付近で屈曲してあり、それより他端部までを腹部としてある。
留金片５の腹部８は弾性部４の内部に埋入してあって、弾性片４の一端から留金片５の屈曲部７とそれに続くフック部６とが突出している。
【００１４】
帯状の弾性片４は様々な素材で作ることができるが、ここではシリコンゴムからなる場合を例示する。シリコンゴムを使用するのは反発弾性が極めて良好で、耐候性にも優れている他、電気絶縁性などにも優れており、さらに、薄くても引っ張り強度を備えているためである。
シリコンゴムからなる弾性片４は、厚さ３ミリメートル、幅１５ミリメートル、長さ１８ミリメートル程度の大きさである。そして、上述したように、一端から留金片５が突出している。
この留金片５の腹部８が弾性片４の内部に埋入されている。留金片５の屈曲部７とそれに続くフック部６が弾性片４の端縁部から突出している状態を、側方から見た断面図として図２に示している。
【００１５】
留金部５が突出している方と反対側である弾性片４の他の端部に係止孔９が開けられている。この係止孔９は弾性片４の幅方向に設けられており、その長さは８ミリメートルで、図２で示すように弾性片４の一方の平坦な面からその反対側の平坦な面にわたって開孔されている。また、弾性片４の幅方向に長い係止孔９を正面から見た場合の両端には、係止孔９に係止具のホック３Ａを係入した場合に弾性片４に応力が集中しないように円形に切り取られている。
【００１６】
この鉤部材１の使用方法について説明する。
ズボン２の打合わせ部に取り付けられている係止具のホック３Ａを帯状の弾性片４の係止孔９に係入する。そして、鉤部材１の留金片５のフック部６をズボン２の打合わせ部に取り付けられている相手側の受片３Ｂに掛合させる。このように調整用鉤部材をズボン１のホック３Ａ、受片３Ｂに取り付ける状態を図３、図４、図５に示す。
このようにすることにより、ホック３Ａが係入されている孔９から留金片５の屈曲部７までの間で弾性片４が伸縮するから、係止具の掛合位置を異ならしめて太さ調整した場合と同様の効果がある。また、帯状の弾性片部分で伸縮させるため、必要以上に鉤部材１全体が伸びることはなく、必要な分だけの伸縮効果が得られる。
このように、極めて簡単な構造であり、また、衣類の打合わせ部に取り付けられている係止具に簡単に取り付けることができる。
【００１７】
次に第２の形態にかかる調整用鉤部材１について説明する。
この場合の調整用鉤部材１は、図６、図７に示すように、別の係止孔１０が形成されるように金具１１を第１の調整用鉤部材１の係止孔９に取り付けたものである。金具１１は本体１２と脚部１３をもち、本体１２の両端から後方に伸びている脚部１３を、調整用鉤部材１の裏側から表側にかけて係止孔９の側方端に通す。そして金具１１の脚部１３のうち調整用鉤部材１の表面から横向きに折曲させた部分をストッパーとして機能するようにしてある。
【００１８】
この調整用鉤部材１を用いるのは、ズボンのホック３Ａを係止孔１０に係入し、係止孔１０と反対側端部に位置する留金片５をズボンの打合わせ部にある受片３Ｂに係合させる。
この調整用鉤部材１では、ズボンのホック３Ａを係入するための係止孔が大きくなっているだけでなく、係止孔１０がズボンの受片３Ｂと同じ形状で同じ向きとなっているために、ズボンのホック３Ａを係入することを容易にすることができる。
【００１９】
さらに、第３の形態にかかる調整用鉤部材１について説明する。
この場合の調整用鉤部材１には、図８に示すように、留金片５の反対側端縁に係止孔１４が形成されている。
この係止孔１４はコの字型をした針金状の枠体を金属片１５から突出させることによって形成されている。金属片１５は弾性片４の内部に埋入されており、コの字型をした枠体の部分だけが弾性片４の端縁部から突き出ていてその内側に係止孔１４が形成されている。
コの字状の枠体の内奥に位置する金属片１５の端縁部には、その部分を覆い隠して金属片１５が弾性片４から抜けて出てくるのを防止するための外れ防止部材１６が取り付けられている。外れ防止部材１６は弾性片４から張り出すように形成されており、少なくともズボンのホック部３Ａが係入できる程度の大きさの係止孔１４となるようにしてある。ここに、外れ防止部材１６は弾性素材で形成することが好ましいが、ここではシリコンゴムを用いたものを使用している。
【００２０】
この調整用鉤部材１を用いるには、前記係止孔１４にズボンのホック３Ａを係入し、係止孔１４と反対側端部に位置する留金片５をズボンの打合わせ部にある受片３Ｂに係合させる。
このように、係止孔部分を突出させていることで、ズボンのホック３Ａを係入しやすくしており、また、係入したズボンのホック３Ａが外れる方向に力がかかっても、外れ防止部材１６が障壁となるため、不意にホック３Ａの係止が外れることを防止することができる。
【００２１】
【発明の効果】
請求項１の発明によれば、弾性片の弾性による適度の伸縮により、ズボンやスカートのウエスト部分を極めて簡単な構造の部材により、調整することができる。
また、この鉤部材は扁平で極めて薄いものであるから、衣類の打合わせ部に取り付けてもその部分がむやみに膨らむことはなく、この鉤部材を使用したために体裁が悪くなるようなこともない。
【００２２】
請求項２の発明により、方形状の金属片を加工して屈曲した形状とし、留金片の腹部を帯状の弾性片の内部に埋入して成型することによって、留金片が弾性片から抜けにくくなる。衣類に取り付けている係止具のホックを、弾性片の一方の端部の係止孔に係入する一方、前記弾性片のもう一方の端部に取り付けられている留金片のフック部を、衣類に取り付けられている相手側の受片に掛合させることにより、本調整用鉤部材は、孔側とフック部側から相反する方向にひっぱられることになるが、留金片の腹部までを弾性片の内部に埋入してあるため、このような引っ張り応力にも十分耐え得る。
【００２３】
請求項３の発明によれば、シリコンゴムが他の合成ゴムなどの弾性体に比べ、高い反発弾性や耐候性を有しており、また、薄くても引っ張り強度を備えているため、シリコンゴムを弾性片の素材として使用することにより、調整用鉤部材としての機能を十二分に発揮することができる。
【図面の簡単な説明】
【図１】図１は本発明である調整用鉤部材の表面からの一例を示す斜視図である。
【図２】図２は図１のＡ−Ａ線拡大断面図である。
【図３】図３はズボンの打合わせ部に取り付けられている係止具の一方のホックを本鉤　部材の係止孔に係入した状態を示す斜視図である。
【図４】図４は図３の状態からズボンの打合わせ部に取り付けられている相手側の受片　に本鉤部材のフック部を掛合させた状態を示す斜視図である。
【図５】図５は図４の本鉤部材を受片に掛合する状態を拡大して示す斜視図である。
【図６】図６は第２の形態にかかる調整用鉤部材を裏側から見た斜視図である。
【図７】図７は第２の形態にかかる調整用鉤部材の表側から見た斜視図である。
【図８】図８は第３の形態にかかる調整用鉤部材の一例を示す斜視図である。
【符号の説明】
１…調整用鉤部材
２…ズボン
３Ａ…ホック
３Ｂ…受片
４…弾性片
５…留金片
６…フック部
７…屈曲部
８…腹部
９…係止孔
１０…係止孔
１１…金具
１２…金具本体
１３…金具脚部
１４…係止孔
１５…金属片
１６…外れ防止部材
【図１】
2004033526.tif 000003
【図２】
2004033526.tif 000004
【図３】
2004033526.tif 000005
【図４】
2004033526.tif 000006
【図５】
2004033526.tif 000007
【図６】
2004033526.tif 000008
【図７】
2004033526.tif 000009
【図８】
2004033526.tif 000010